(57)【要約】      （修正有）【課題】簡易な内部構造により低コストにて製造可能であり、かつ一方の吸込口から他方の吸込口へ吸引を確実に切り替えることができる電気掃除機の吸込口体を提供すること。【解決手段】吸込口本体は、筐体３１ａの内部空間を上下の第１室Ｒ1と第２室Ｒ2に仕切る仕切り壁３１ｂと、第１面３１ａｆ1に設けられた第１吸込口３１ａ11と、第２面３１ａｆ2に設けられた第２吸込口３１ａ21とを有する。図示の布団清掃モードでは、第１室Ｒ1と接続部３２の内部とが連通孔３２ａ13によって連通し、当接壁３２ａ12が第２室Ｒ2側を遮断している。一方ソファー清掃モードでは吸込口本体３１を第１軸心Ｐ1廻りに上下反転させ、第２面３１ａｆ2を下に向ける。これにより、第２室Ｒ2が連通孔３２ａ13側へ移動して接続部３２と連通する。第１室Ｒ1は上方へ移動し、当接壁３２ａ12によって接続部３２から遮断される。【選択図】図５
2017221596.tif 000002
【特許請求の範囲】
【請求項１】
筐体を有してなる吸込口本体と、前記吸込口本体の後部に前後方向の第１軸心廻りに回動可能に設けられた接続部とを備え、
前記吸込口本体は、前記筐体の内部空間を第１室と第２室に仕切る仕切り壁と、前記筐体における前記第１室側の第１面に設けられた第１吸込口と、前記筐体における前記第２室側の第２面に設けられた第２吸込口とを有し、
前記接続部は、前記仕切り壁と当接するよう配置されかつ前記第１室または前記第２室に連通孔を形成する当接壁を有し、
前記接続部に対して前記第１軸心廻りに前記吸込口本体を反転させることによって、前記第１室と第２室のうち片方を前記接続部と連通状態に切り替えるように構成されたことを特徴とする電気掃除機の吸込口体。
【請求項２】
前記吸込口本体における前記第１面と前記第２面のうち片方を覆うカバーをさらに備えた請求項１に記載の電気掃除機の吸込口体。
【請求項３】
前記吸込口体が、前記第１吸込口に左右方向の第２軸心廻りに回転可能に設けられた回転体を有する請求項１または２に記載の電気掃除機の吸込口体。
【請求項４】
前記回転体が、布団用の叩きローラである請求項３に記載の電気掃除機の吸込口体。
【請求項５】
前記吸込口体が、前記第２面における前記第２吸込口の周囲にブラシ部を有する請求項１〜４のいずれか１つに記載の電気掃除機の吸込口体。
【請求項６】
請求項１〜５のいずれか１つに記載の吸込口体を備えた電気掃除機。
【発明の詳細な説明】
【技術分野】
【０００１】
本発明は、電気掃除機の吸込口体に関する。
【背景技術】
【０００２】
特許文献１には、上下両面に第１と第２の吸込口を有し、ノズル接続管を介して掃除機本体と接続される吸込口体が開示されている。この吸込口体は、畳、床、絨毯等の乾いた被清掃面を清掃する際は第１の吸込口を下方に向けて塵埃を吸引し、濡れた被清掃面を清掃する際はノズル接続管に対して１８０°上下反転させて拭き部材を有する第２の吸込口を下方に向けて濡れた汚れを吸引できるように構成されている。
【０００３】
特許文献１の吸込口体は、第１の吸込口からノズル接続管へ繋がる第１の連通経路、第２の吸込口からノズル接続管へ繋がる第２の連通経路、およびノズル接続管と第１または第２の連通経路との接続と遮断を切り替えるスライド弁を備え、吸込口体を上下反転させると自重によりスライド弁がガイド溝に沿って下降して第１と第２の連通経路の一方を遮断するように構成されている。
【０００４】
特許文献１の吸込口体によれば、ノズル接続管に接続された乾いた被清掃面専用の吸込口体から濡れた被清掃面専用の吸込口体に付け替える（およびその逆の付け替え）という手間を省くことができると共に、１つの吸込口体を所有することで済むため保管場所の省スペース化が図られかつ経済的なメリットが得られる。
【先行技術文献】
【特許文献】
【０００５】
【特許文献１】特開２０００−６０７７３号公報
【発明の概要】
【発明が解決しようとする課題】
【０００６】
前記構成を有する特許文献１の吸込口体は、ガイド溝に塵埃が付着すると自重によるスライド弁の下降が妨げられ、それによって下方に向けた第１または第２の吸込口からの吸引ができなくなるおそれがある。また、この吸込口体は内部構造が複雑であるため、低コストにて製造することは難しい。
【０００７】
本発明は、このような課題に鑑みてなされたものであり、簡素な内部構造により低コストにて製造可能であり、かつ一方の吸込口から他方の吸込口へ吸引を確実に切り替えることができる電気掃除機の吸込口体を提供することを目的とする。
【課題を解決するための手段】
【０００８】
かくして、本発明によれば、筐体を有してなる吸込口本体と、前記吸込口本体の後部に前後方向の第１軸心廻りに回動可能に設けられた接続部とを備え、
前記吸込口本体は、前記筐体の内部空間を第１室と第２室に仕切る仕切り壁と、前記筐体における前記第１室側の第１面に設けられた第１吸込口と、前記筐体における前記第２室側の第２面に設けられた第２吸込口とを有し、
前記接続部は、前記仕切り壁と当接するよう配置されかつ前記第１室または前記第２室に連通孔を形成する当接壁を有し、
前記接続部に対して前記第１軸心廻りに前記吸込口本体を反転させることによって、前記第１室と第２室のうち片方を前記接続部と連通状態に切り替えるように構成された電気掃除機の吸込口体が提供される。
【０００９】
また、本発明の別の観点によれば、前記吸込口体を備えた電気掃除機が提供される。
【発明の効果】
【００１０】
本発明の電気掃除機の吸込口体によれば、例えば、第１吸込口側を布団、毛布等の除塵に使用し、かつ第２吸込口側をソファーの除塵に使用するという組み合わせ、あるいは第１吸込口側をフローリング、畳、絨毯等の床面の除塵に使用し、かつ第２吸込口側を壁の除塵に使用するという組み合わせをすることができ、この際、被清掃面に応じて専用の吸込口体を付け替えるといった手間を省くことができる。また、１つの吸込口体を所有することで済むため、保管場所の省スペース化が図られかつ経済的であるというメリットが得られる。さらに、本発明の吸込口体は、簡易な内部構造でありながら一方の吸込口から他方の吸込口への吸引の切り替えを確実に行うことができると共に、低コストにて製造することができる。
【図面の簡単な説明】
【００１１】
【図１】本発明の電気掃除機の実施形態１を示す斜視図である。
【図２】図１の電気掃除機におけるカバーを取り外した吸込口体を示す斜視図である。
【図３】実施形態１の吸込口体の一部断面底面図である。
【図４】実施形態１の吸込口体の左側面図である。
【図５】実施形態１の吸込口体の左側断面図である。
【図６】図５の吸込口体における吸込口本体を上下反転させた状態を示す左側断面図である。
【図７】実施形態２の吸込口体の左側断面図である。
【図８】図７の吸込口体における吸込口本体を上下反転させた状態を示す左側断面図である。
【発明を実施するための形態】
【００１２】
（実施形態１）
図１は本発明の電気掃除機の実施形態１を示す斜視図である。この電気掃除機１００は、掃除機本体１０と、掃除機本体１０に着脱可能に装着されるダストカップユニット２０と、掃除機本体１０の接続吸引部１０ｂと接続される吸込口体３０とを備える。
【００１３】
掃除機本体１０は、バッテリーおよび電動送風機を内蔵する胴部１０ａと、胴部１０ａから前方へ突出する筒形の前記接続吸引部１０ｂと、胴部１０ａの後部に設けられた円弧形のハンドル１０ｃと、ハンドル１０ｃに設けられた複数のスイッチを有する操作部１０ｄとを備える。
【００１４】
掃除機本体１０の接続吸引部１０ｂの先端には、吸込口体３０の筒形の接続部３２を差し込んで接続する接続口が設けられている。また、掃除機本体１０の胴部１０ａの左右一方の側面には排気口が設けられている。
ダストカップユニット２０は、掃除機本体１０の接続吸引部１０ｂの下面に沿って装着されるサイクロン方式の集塵装置であり、内部にフィルターが設けられている。
【００１５】
掃除機本体１０内の電動送風機が駆動すると、吸込口体３０から接続吸引部１０ｂ内へ塵埃を含む空気が流入し、その空気は接続吸引部１０ｂからダストカップユニット２０内へ流入して塵埃が遠心分離され、塵埃が除去された空気は胴部１０ａ内へ流入して排気口から外部へ排出される。
【００１６】
＜吸込口体の構成について＞
図２は図１の電気掃除機におけるカバーを取り外した吸込口体を示す斜視図である。また、図３は実施形態１の吸込口体の一部断面底面図であり、図４は実施形態１の吸込口体の左側面図であり、図５は実施形態１の吸込口体の左側断面図である。
実施形態１の吸込口体３０は、筐体３１ａを有してなる吸込口本体３１と、吸込口本体３１の後部に前後方向の第１軸心Ｐ1廻りに回動可能に設けられた筒形の接続部３２と、カバー３３とを備える。
【００１７】
［吸込口本体］
吸込口本体３１において、箱形の筐体３１ａは、上下に二分割可能な第１ケース部３１ａ1と第２ケース部３１ａ2とを有してなる。
また、吸込口本体３１は、筐体３１ａの内部空間を上下の第１室Ｒ1と第２室Ｒ2に仕切る仕切り壁３１ｂと、筐体３１ａにおける第１室Ｒ1側の第１面３１ａｆ1に設けられた第１吸込口３１ａ11と、筐体３１ａにおける第２室Ｒ2側の第２面３１ａｆ2に設けられた第２吸込口３１ａ21とを有する。
そして、第１室Ｒ1は第１ケース部３１ａ1と仕切り壁３１ｂとで形成され、第２室Ｒ2は第２ケース部３１ａ2と仕切り壁３１ｂとで形成されている。
【００１８】
さらに詳しく説明すると、第１ケース部３１ａ1の第１吸込口３１ａ11は、第１軸心Ｐ1と直交する左右方向に長い長方形に形成されており、その第１吸込口３１ａ11から外部へ露出するように布団叩きローラとしての回転体３４が第１室Ｒ1の内部に回転可能に設けられている。
【００１９】
この回転体３４は、第１軸心Ｐ1と直交する第２軸心Ｐ2上に設けられた回転軸部３４ａと、回転軸部３４ａから放射状に膨出する膨出部３４ｂと、回転軸部３４ａの両端部に連設された一対の車輪部３４ｃとを有してなり、回転軸部３４ａの両端部が第１吸込口３１ａ11の左右端部に設けられた一対の取付片３１ａ12に回転可能に軸支されている。
【００２０】
車輪部３４ｃの外径は膨出部３４ｂの外径よりも少し大きいため、一対の車輪部３４ｃが被清掃面である布団上を転がる。すると、それに連動して回転軸部３４ａおよび膨出部３４ｂが回転し、回転する膨出部３４ｂによって布団から塵埃を叩き出して第１吸込口３１ａ11から吸引除去することができる。
【００２１】
第２ケース部３１ａ2は、その第２面３１ａｆ2の外周部にブラシ部３５を有すると共に、ブラシ部３５で囲まれた第２面３１ａｆ2の内側エリアに第２吸込口３１ａ21が形成されている。
第２吸込口３１ａ21は、例えば、格子状に配置された複数の小孔の群からなる。この形状に限らず、例えば、長穴を複数並べたようにしてもよい。
【００２２】
また、第２ケース部３１ａ2の第２面３１ａｆ2において、前部から左右側に亘って略Ｕ形の第１凹部３１ａ22が形成されると共に、後部に左右方向の第２凹部３１ａ23が形成されている。そして、第１凹部３１ａ22内に複数のブラシ毛束３５ａが植設されると共に、第２凹部３１ａ23内に直線状に起毛ブラシ３５ｂが植設されており、複数のブラシ毛束３５ａおよび起毛ブラシ３５ｂによって前記ブラシ部３５が構成されている。なお、第１凹部３１ａ22の内側の側壁にはスリット３１ａ221が形成されている。
【００２３】
筐体３１ａの後端面には、第１軸心Ｐ1を軸心としかつ内周面に円環状凸部３１ｃ1を有する接続筒部３１ｃが設けられている。この接続筒部３１ｃは、第１および第２ケース部３１ａ1、３１ａ2にそれぞれ連設された上下一対の半円筒部からなり、後述する接続部３２を第１軸心Ｐ1廻りに回動可能に保持する。
【００２４】
また、筐体３１ａの前面から左右側面に亘って突条部３１ｄが設けられている。具体的には、突上部３１ｄは、第１および第２ケース部３１ａ1、３１ａ2の境界部分に跨って設けられている。この突条部３１ｄは、後述するカバー３３を吸込口本体３１に前後方向スライド可能にかつ着脱可能に装着するための部位である。
【００２５】
仕切り壁３１ｂは、筐体３１ａの内部空間を上下に二分割するように第１軸心Ｐ1に近接して設けられている。この場合、例えば、第１ケース部３１ａ1の第１面３１ａｆ1における第１吸込口３１ａ11の前後４箇所に内部へ陥没するボス部３１ａｂが形成されており、各ボス部３１ａｂにセルフタッピングネジＮを挿入し、スペーサＳを介して各ネジＮを仕切り壁３１ｂの小孔にねじ込むことにより、仕切り壁３１ｂが所定位置に固定されている。
【００２６】
また、仕切り壁３１ｂの前端部および左右端部は第２室Ｒ2側へ屈曲しており、屈曲した前端部および左右端部は、複数のブラシ毛束３５ａが植設される略Ｕ形の基台部３５ａ1の内側面に接着されている。
さらに、仕切り壁３１ｂの後端部は、筐体３１ａにおける接続筒部３１ｃの左右両側の内壁面と密着すると共に、接続筒部３１ｃに対応する部分には厚みが増した肉厚部３１ｂ1が設けられている。
【００２７】
［接続部］
接続部３２は、吸込口本体３１の接続筒部３１ｃ内に回動可能に差し込まれる筒形の第１接続部３２ａと、第１接続部３２ａと揺動可能に接続する筒形の第２接続部３２ｂとを有する。
【００２８】
第１接続部３２ａは、第１軸心Ｐ1を軸心とする筒形部３２ａ1と、筒形部３２ａ1の後端に連設された凹曲内面３２ａ21（球面の一部）を有するヒンジ受け部３２ａ2と、ヒンジ受け部３２ａ2の後端に連設された後輪取付部３２ａ3と、後輪取付部３２ａ3に第２軸心Ｐ2と平行な軸を介して回転可能に取り付けられた後輪３２ａ4とを備える。
【００２９】
第１接続部３２ａにおいて、筒形部３２ａ1は、その外周面に一対の円環状凸部３２ａ11を有すると共に、ヒンジ受け部３２ａ2とは反対側の開口部に略半円形の当接壁３２ａ12を有している。この当接壁３２ａ12によって筒形部３２ａ1には仕切り壁３１ｂよりも下方位置に略半円形の連通孔３２ａ13が形成される。
【００３０】
接続部３２の筒形部３２ａ1を吸込口本体３１の接続筒部３１ｃに差し込むことにより、接続筒部３１ｃの円環状凸部３１ｃ1が筒形部３２ａ1の一対の円環状凸部３２ａ11の間に嵌り込む。これにより接続部３２の吸込口本体３１に対する前後方向の移動が規制される。またこの際、接続部３２の当接壁３２ａ12が仕切り壁３１ｂの肉厚部３１ｂ1と当接する。
なお、図５では、吸込口本体３１の第１室Ｒ1と接続部３２の内部とが連通孔３２ａ13によって連通した状態を示している。
【００３１】
第２接続部３２ｂは、第１接続部３２ａのヒンジ受け部３２ａ2に嵌り込んで凹曲内面３２ａ21と摺接する凸曲外面３２ｂ11（球面の一部）を有し、かつ第２軸心Ｐ2と平行な第３軸心Ｐ3廻りに揺動可能なヒンジ部３２ｂ1を有する。なお、第１接続部３２ａと第２接続部３２ｂとは一体的に第１軸心Ｐ1廻りに回動する。
【００３２】
［カバー］
カバー３３は、吸込口本体３１の上面、前面上部および左右側面上部を覆う形状に形成された硬質かつ不透明の樹脂製部品であり、その下端部内面には、吸込口本体３１の前面から左右側面に亘って設けられた前記突条部３１ｄと嵌合する嵌合溝３１ｄ1が形成されている。このカバー３３の嵌合溝３１ｄ1は、吸込口本体３１の突条部３１ｄに対して後方向にスライドして嵌合し、それによってカバー３３が吸込口本体３１に取り付けられる。また、カバー３３を前方へスライドさせれば嵌合溝３１ｄ1が突条部３１ｄから離脱して吸込口本体３１から取り外される。
【００３３】
＜吸込口体の使用について＞
図１、図４および図５に示すように、例えば、布団に付着した塵埃、毛、ゴミ等のダストを除去する場合（布団清掃モード）、掃除機本体１０の電動送風機を駆動させ、回転体３４側の第１面３１ａｆ1を下に向けた状態で吸込口体３０を布団上で滑らせる。すると、一対の車輪部３４ｃが回転し、それらと連動して膨出部３４ｂが回転して布団のダストを叩き出し、空気と共にダストが第１吸込口３１ａ11から第１室Ｒ1内へ吸引される。ダストを含む空気は第１室Ｒ1から連通孔３２ａ13を通って接続部３２内に流入し、接続部３２から掃除機本体１０を介してダストカップユニット２０内へ送られてダストが遠心分離される。そして、ダストが除去された空気が再び掃除機本体１０内へ流入して排気口から外部に排出される。
【００３４】
この際、吸込口体３０の接続部３２の当接壁３２ａ12が吸込口本体３１内の仕切り壁３１ｂの肉厚部３１ｂ1に当接し、それによって吸込口本体３１の第２室Ｒ２と接続部３２とが遮断されているため、第２面３１ａｆ2側の第２吸込口３１ａ21から外気を吸引することがなく、第１吸込口３１ａ11側の吸引力が低下することはない。また、上方に向けられたブラシ部３５側の第２面３１ａｆ2はカバー３３にて覆われているため、使用時の吸込口体３０の外観がすっきりして見栄えがよいものとなっている。
【００３５】
次に、この吸込口体３０を用いてソファーに付着したダストを除去する場合、布団清掃モードの吸込口体３０（図５参照）におけるカバー３３を吸込口本体３１から取り外し、第１軸心Ｐ1廻りに吸込口本体３１を上下反転させ、カバー３３を再度吸込口本体３１に取り付ける。このようにすると、図６に示すように、ブラシ部３５側の第２面３１ａｆ2が下に向けられ、回転体３４ｃ側の第１面３１ａｆ1はカバー３３にて覆われた状態（ソファー清掃モード）となる。
【００３６】
また、布団清掃モードからソファー清掃モードに切り替えると、吸込口本体３１内の仕切り壁３１ｂの肉厚部３１ｂ1が吸込口体３０の接続部３２の当接壁３２ａ12に当接したまま１８０°回転する。これにより、吸込口本体３１内のブラシ部３５側の第２室Ｒ2が連通孔３２ａ13側へ移動して接続部３２と連通する。一方、吸込口本体３１内の回転体３４側の第１室Ｒ1は上方へ移動し、当接壁３２ａ12によって接続部３２から遮断される。
【００３７】
ソファー清掃モードの吸込口体３０は第２吸込口３１ａ21の周囲にブラシ部３５が設けられているため、特に、表面が布製のソファーやソファーカバーあるいは毛布タイプのソファーカバーの繊維間にあるダストでもブラシ部３５で掻き出して第２吸込口３１ａ21にて吸引することができるため、きれいに清掃することができる。この際、第１面３１ａｆ1側の第１吸込口３１ａ11から外気を吸引することがなく、第２吸込口３１ａ21側の吸引力が低下することはない。
【００３８】
また、例えば、ペット（犬、猫等）の毛やダニ等が付着したソファーをソファー清掃モードの吸込口体３０にて清掃した後、吸込口体３０を布団清掃モードに切り替えて布団を清掃するため、ソファーを擦ったブラシ部３５で布団を擦ることがなく、衛生的に布団を清掃することができる。
【００３９】
また、この吸込口体３０において、第１吸込口３１ａ11からの吸引と第２吸込口３１ａ21からの吸引を切り替える機構は、接続部３２の開口部の上半分を当接壁３２ａ12にて塞ぎ、第１室Ｒ1と第２室Ｒ2のうち下に位置する一方の空間のみを接続部３２の開口部（連通孔３２ａ13）に連通させるという簡易な構造で構成されているため、吸引の切り替えを故障無く確実に行うことができる。
【００４０】
（実施形態２）
図７は実施形態２の吸込口体の左側断面図であり、図８は図７の吸込口体における吸込口本体を上下反転させた状態を示す左側断面図である。なお、図７と図８において、図５と図６中の要素と同様の要素には、同一の符号を付している。
実施形態２の吸込口体１３０の場合、吸込口本体３１を覆うカバー１３３の構成が実施形態１とは異なり、それ以外の構成は実施形態１と概ね同様である。以下、実施形態２における実施形態１とは異なる点を主に説明する。
【００４１】
実施形態２の吸込口体１３０のカバー１３３は、不透明の可撓性シート部１３３ａと、可撓性シート部１３３ａの先端部に設けられたマグネット部１３３ｂと、可撓性シート部１３３ａの基端部に設けられて吸込口本体３１の筐体３１ａの前面の突条部３１ｄに沿って取り付けられるバー状の固定部１３３ｃとを有する。
また、吸込口本体３１の筐体３１ａの上面後部と下面後部には金属片Ｍが取り付けられている。
なお、可撓性シート部１３３ａの素材としては、特に限定されるものではなく、例えば、樹脂、革、布等からなるシート素材を用いることができるが、塵埃が付着しにくく汚れにくい樹脂シートが好ましい。
【００４２】
このように構成された実施形態２の吸込口体１３０によれば、図７に示す布団清掃モードにおいて、可撓性のカバー１３３によってブラシ部３５側の第２面３１ａｆ2が覆われる。このとき、カバー１３３のマグネット部１３３ｂが後方の金属片Ｍに磁力により吸着するため、カバー１３３の先端部が固定される。
【００４３】
また、布団清掃モードからソファー清掃モードに切り替える際、吸込口本体３１を上下反転させるとカバー１３３が下に移動するため、金属片Ｍからマグネット部１３３ｂを引き離し、図８に示すように、カバー１３３を捲り上げて回転体３４側の第１面３１ａｆ1を覆い、マグネット部１３３ｂを後方の金属片Ｍに吸着させる。
【００４４】
実施形態２の場合、カバー１３３を吸込口本体３１から取り外す必要がないため、モード切り替えの際のカバーの取り外しおよび取り付けの手間を省くことができると共に、カバーを紛失することもない。
【００４５】
（実施形態３）
実施形態２で説明したカバー１３３における固定部１３３を、軸を介して吸込口本体３１の前面に取り付けてもよい。この場合、固定部１３３が吸込口本体３１に対して軸廻りに回動できるようにする。
このようにすれば、実施形態２と同様の効果を得ることができることに加え、カバー１３３における同じ面を回転体３４側およびブラシ部３５側に向けることができるため、カバー１３３における外部に露出する他方の面を衛生的に保つことができる。なお、カバー１３３における外部に露出する面に模様や絵柄等を印刷しておくことにより、意匠性に優れたものとなると共に、反対面が回転体３４側およびブラシ部３５側に向ける面であることをユーザーが認識することができる。
【００４６】
（実施形態４）
実施形態１で説明したカバー３３を、実施形態３のようにカバー３３全体を１本の軸にて吸込口本体３１の前面に取り付けてもよい。この場合、カバー３３が開閉できるように軸をスプリングにて前後方向に移動可能に保持して、カバー３３を前側に引き出すことで反転できる機構を設けると共に、カバー３３が吸込口本体３１に対して軸廻りに回動できるように構成する。このようにしても、実施形態２と同様の効果を得ることができる。
【００４７】
（実施形態５）
実施形態１〜４では、車輪部３４ｃの回転により回転体（布団叩きローラ）３４全体が回転する構成を例示したが、車輪部３４ｃを省略した回転体をモータにて回転駆動させるようにしてもよい。この場合、吸込口本体３１の第１室Ｒ1内にモータおよびモータの回転力を回転体に伝達する回転力伝達機構（プーリおよびベルト）を設ける。また、掃除機本体１０のバッテリーからモータに電力を供給する配線部を設ける。この場合、配線部は、吸込口本体３１が接続部３２に対して１８０°回転して回転体３４側の第１面３１ａｆ1が上向きとなると電気的に絶縁されるスイッチ部を、吸込口本体３１と接続部３２との接続部分に有する。
【００４８】
（実施形態６）
実施形態１〜５では、吸込口体における回転体が布団叩きローラである場合を例示したが、布団叩きローラの代わりに、フローリング、畳、絨毯等の床面を清掃する回転ブラシを用いてもよい。この場合、吸込による気流により回転するタービン方式の回転ブラシ、あるいは実施形態５で説明したようにモータ駆動方式の回転ブラシを用いることができる。
また、電気掃除機は、キャニスタ型、スティック型などの吸込口体を反転して使用できるタイプであれば、どのタイプでも使用可能である。
【００４９】
（まとめ）
本発明の電気掃除機の吸込口体は、筐体を有してなる吸込口本体と、前記吸込口本体の後部に前後方向の第１軸心廻りに回動可能に設けられた接続部とを備え、
前記吸込口本体は、前記筐体の内部空間を第１室と第２室に仕切る仕切り壁と、前記筐体における前記第１室側の第１面に設けられた第１吸込口と、前記筐体における前記第２室側の第２面に設けられた第２吸込口とを有し、
前記接続部は、前記仕切り壁と当接するよう配置されかつ前記第１室または前記第２室に連通孔を形成する当接壁を有し、
前記接続部に対して前記第１軸心廻りに前記吸込口本体を反転させることによって、前記第１室と第２室のうち片方を前記接続部と連通状態に切り替えるように構成されたものである。
【００５０】
本発明の電気掃除機の吸込口体は、次のように構成されてもよく、それらが適宜組み合わされてもよい。
（１）前記吸込口本体における前記第１面と前記第２面のうち片方を覆うカバーをさらに備えてもよい。
このようにすれば、第１吸込口を有する第１面と第２吸込口を有する第２面のうち上方へ向けられた一方がカバーによって覆われるため、外観上すっきりとして好ましいものとなる。
【００５１】
（２）前記吸込口体が、前記第１吸込口に左右方向の第２軸心廻りに回転可能に設けられた回転体を有してもよい。
この場合、回転体としては、例えば、布団叩き用の回転体（布団叩きローラ）、フローリング、畳、絨毯等の床面清掃用の回転体（回転ブラシ）等が挙げられる。このような回転体を吸込口体の第１吸込口に設けることにより、布団または床面の除塵効率を高めることができる。
なお、回転体は、第１吸込口を通る気流によって回転するように構成されてもよく、モータを含む回転駆動機構によって回転するように構成されてもよく、あるいは回転体と連動する車輪によって回転するように構成されてもよい。
【００５２】
（３）前記吸込口体が、前記第２面における前記第２吸込口の周囲にブラシ部を有してもよい。
このようにすれば、例えば、第２吸込口側でソファーの清掃を行う際に、ブラシ部によって塵埃を掻き出して第２吸込口から吸引除去することができるため、除塵効率を高めることができる。
【００５３】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００５４】
３０、１３０  吸込口体
３１  吸込口本体
３１ａ  筐体
３１ａ11  第１吸込口
３１ａ21  第２吸込口
３１ａｆ1  第１面
３１ａｆ2  第２面
３１ｂ  仕切り壁
３２接続部
３２ａ12  当接壁
３２ａ13  連通孔
３３、１３３  カバー
３４  回転体
３５  ブラシ部
１００  電気掃除機
Ｐ1  第１軸心
Ｐ2  第２軸心
Ｒ1  第１室
Ｒ2  第２室
【図１】
2017221596.tif 000003
【図２】
2017221596.tif 000004
【図３】
2017221596.tif 000005
【図４】
2017221596.tif 000006
【図５】
2017221596.tif 000007
【図６】
2017221596.tif 000008
【図７】
2017221596.tif 000009
【図８】
2017221596.tif 000010